(57)【要約】      （修正有）【課題】管理する対象者の位置と時刻を正確に把握し、対象者の行動を管理する行動管理システムを提供する。【解決手段】行動管理システムは、行動管理の対象者が保持する対象者端末２と、管理サーバ１とを備える。管理サーバにおいて、対象者端末が存在する位置と時刻を特定することにより、対象者の行動を管理する。対象者端末は、所定の行動区域に設置された行動区域コードから読み取った行動区域認証データと、行動区域認証データを読み取った読取時刻とを上記管理サーバに送信する。管理サーバは、対象者端末から受信した行動区域認証データおよび読取時刻の記録と認証を行う。【選択図】図１
2020027377.tif 000002
【特許請求の範囲】
【請求項１】
行動管理の対象者が保持する対象者端末と、管理サーバとを備え、上記管理サーバにおいて、上記対象者端末が存在する位置と時刻を特定することにより、対象者の行動を管理する行動管理システムであって、
上記対象者端末は、所定の行動区域に設置された行動区域コードから読み取った行動区域認証データと、上記行動区域認証データを読み取った読取時刻とを上記管理サーバに送信するとともに上記読取時刻を記録し、
上記管理サーバは、上記対象者端末から受信した上記行動区域認証データおよび読取時刻の記録と認証を行う
ことを特徴とする行動管理システム。
【請求項２】
上記対象者端末は、ＧＰＳ衛星から当該対象者端末の端末位置を受信して上記管理サーバに送信し、
上記管理サーバは、上記対象者端末から受信した上記端末位置を、当該管理サーバに保持している上記行動区域の位置と照合して認証し、当該照合の結果と時刻を記録する
請求項１記載の行動管理システム。
【請求項３】
上記対象者端末は、上記行動区域コードとその周辺を含む範囲を撮影した行動区域コード画像を上記管理サーバに送信し、
上記管理サーバは、上記対象者端末から受信した上記行動区域コード画像を、当該管理サーバに保持している当該行動区域のコード画像と照合して認証し、当該照合の結果と時刻を記録する
請求項１または２記載の行動管理システム。
【請求項４】
上記対象者端末は、あらかじめ決められた所定の端末操作の実行をしたときの実行時刻が、上記記録された上記読取時刻から所定の時間内である場合、上記端末操作の実行により得られた実行確認データおよび上記実行時刻を上記管理サーバに送信し、
上記管理サーバは、上記対象者端末から受信した上記実行確認データおよび実行時刻の認証と記録を行う
請求項１〜３のいずれか一項に記載の行動管理システム。
【請求項５】
上記対象者端末は、あらかじめ決められた所定の端末操作の実行をしたときの実行時刻が、上記記録された上記読取時刻から所定の時間内でない場合、時間超過通知を上記管理サーバに送信し、
上記管理サーバは、時間超過通知の受信に応じて再認証リクエストを上記対象者端末に送信し、
上記対象者端末は、上記再認証リクエストの受信に応じて、上記行動区域コードから再度読み取った再読取り行動区域認証データと、上記再読取り行動区域認証データの再読取時刻が、上記実行時刻から所定の時間内である場合、上記再読取り行動区域認証データと再読取時刻を上記管理サーバに送信し、
上記管理サーバは、上記対象者端末から受信した上記再読取り行動区域認証データおよび再読取時刻の認証と記録を行う
請求項４記載の行動管理システム。
【請求項６】
行動管理の対象者が保持する対象者端末と、管理サーバとを用い、上記管理サーバにおいて、上記対象者端末が存在する位置と時刻を特定することにより、対象者の行動を管理する行動管理方法であって、
上記対象者端末は、所定の行動区域に設置された行動区域コードから読み取った行動区域認証データと、上記行動区域認証データを読み取った読取時刻とを上記管理サーバに送信するとともに上記読取時刻を記録し、
上記管理サーバは、上記対象者端末から受信した上記行動区域認証データおよび読取時刻の記録と認証を行う
ことを特徴とする行動管理方法。
【請求項７】
行動管理の対象者が保持する対象者端末と、管理サーバとを用い、上記管理サーバにおいて、上記対象者端末が存在する位置と時刻を特定することにより、対象者の行動を管理する行動管理プログラムであって、
上記対象者端末による、所定の行動区域に設置された行動区域コードから読み取った行動区域認証データと、上記行動区域認証データを読み取った読取時刻とを上記管理サーバに送信するとともに上記読取時刻を記録するステップと、
上記管理サーバによる、上記対象者端末から受信した上記行動区域認証データおよび読取時刻の記録と認証を行うステップとをコンピュータ装置に実行させる
ことを特徴とする行動管理プログラム。
【発明の詳細な説明】
【技術分野】
【０００１】
本発明は、行動を管理する対象者がいる位置と時刻を正確に把握することにより、上記対象者の行動を管理する行動管理システム、方法、プログラムに関するものである。
【背景技術】
【０００２】
働き方改革の取り組みのひとつとして、長時間労働の改善があげられている。この施策を推進すれば、将来的には、働き手を職場に拘束する時間が減少する。そうすると、職場以外で業務を行うケースが増加していくことが見込まれる。
このような場合、社員が実際に「いつ」「どこにいて」「何をした」かの行動を把握する必要が生じてくる。
また、金属メーカーの検査記録や自動車メーカの車検記録など、データを不正に捏造する事件が大きく報道されている。このような観点からも、社員等が「いつ」「どこにいて」「何をした」かの行動を正確に記録することが求められる。
【０００３】
たとえば位置情報を通知するシステムとして、本出願人は下記の特許文献１を把握している。
【先行技術文献】
【特許文献】
【０００４】
【特許文献１】特開２０１７−８５２２８号公報
【０００５】
上記特許文献１は、「位置情報通知システム」に関するものであり、つぎの記載がある。なお、引用文中の下線は、本出願人が付したものである。
［請求項１］
同一グループに所属するメンバーについて、メンバー相互の位置情報を通知する位置情報通知システムであって、
複数の端末装置と、これら複数の端末装置のそれぞれと交信する機能を有する管理装置と、を備え、
前記端末装置は、
各メンバーが携帯する携帯可能情報記録媒体から媒体識別情報を読み出す媒体識別情報読出部と、
当該端末装置自身の現在位置を認識する現在位置認識部と、
前記管理装置との間に所定の通信セッションを確立して交信を行い、前記媒体識別情報読出部が読み出した媒体識別情報と、前記現在位置認識部が認識した現在位置とを、自己位置報告情報として前記管理装置に対して送信する自己位置報告情報送信部と、
前記自己位置報告情報の送信が行われた通信セッションと同一の通信セッション中に、前記管理装置から送信されてくる他者位置通知情報を受信する他者位置通知情報受信部と、
受信した前記他者位置通知情報を提示する他者位置通知情報提示部と、
を有し、
前記管理装置は、
同一グループに所属する個々のメンバーについて、各メンバーが携帯する携帯可能情報記録媒体の媒体識別情報と、少なくとも当該グループ内において各メンバーを特定するためのメンバー特定情報と、各メンバーの現在位置と、を対応づけたグループ情報を格納するグループ情報格納部と、
前記グループ情報格納部に、各グループに所属する各メンバーについて、媒体識別情報およびメンバー特定情報を対応づけて登録する基本情報登録部と、
前記端末装置との間に確立された通信セッション中に、前記自己位置報告情報送信部から自己位置報告情報の送信があったときに、送信されてきた自己位置報告情報に含まれる現在位置を、送信されてきた自己位置報告情報に含まれる媒体識別情報に対応づけて、前記グループ情報格納部に登録する位置報告情報登録部と、
前記自己位置報告情報の送信が行われた通信セッションと同一の通信セッション中に、前記グループ情報格納部内のグループ情報を検索し、送信されてきた自己位置報告情報に含まれる媒体識別情報が登録されているグループを照会対象グループとして認識し、当該照会対象グループに所属する個々のメンバーについて登録されているメンバー特定情報と、これに対応づけられて登録されている現在位置とを、他者位置通知情報として前記他者位置通知情報受信部に対して送信する位置通知情報送信部と、
を有することを特徴とする位置情報通知システム。
［請求項３］
請求項１に記載の位置情報通知システムにおいて、
少なくとも一部の端末装置が、携帯型移動端末装置であり、この携帯型移動端末装置の現在位置認識部は、ＧＰＳを利用した位置認識システム、または、交信中の無線ＬＡＮ基地局もしくは携帯電話基地局の位置情報を利用した位置認識システムを有しており、当該位置認識システムによって認識した自分自身の位置を現在位置として認識することを特徴とする位置情報通知システム。
［請求項６］
請求項１〜５のいずれかに記載の位置情報通知システムにおいて、
媒体識別情報読出部が、ＩＣカードもしくはＩＣタグからなる携帯可能情報記録媒体にデジタルデータとして記録されている媒体識別情報を読み出すリーダライタ装置、磁気カードからなる携帯可能情報記録媒体に磁気データとして記録されている媒体識別情報を読み出す磁気読出装置、携帯可能情報記録媒体にバーコードもしくはＱＲコード（登録商標）として記録されている媒体識別情報を読み出すコード読取装置、または、携帯可能情報記録媒体に文字、数字、もしくは記号として記録されている媒体識別情報の画像を撮影して認識するＯＣＲ装置を有することを特徴とする位置情報通知システム。
【発明の開示】
【発明が解決しようとする課題】
【０００６】
上記特許文献１は、端末装置の位置をＧＰＳを利用して行うことが開示されている。また、メンバーが携帯する携帯可能情報記録媒体に媒体識別情報としてＱＲコード（登録商標）を利用し、メンバーの特定を行うことが開示されている。
【０００７】
しかしながら、上記特許文献１では、管理する対象者の位置と時刻を正確に把握することはできない。
【０００８】
〔目的〕
本発明は、上記問題を解決するため、つぎの目的をもってなされたものである。
管理する対象者の位置と時刻を正確に把握し、どのような行動をしたのかを記録し、上記対象者の行動を管理する行動管理システム、方法、プログラムを提供する。
【課題を解決するための手段】
【０００９】
請求項１記載の行動管理システムは、上記目的を達成するため、つぎの構成を採用した。
行動管理の対象者が保持する対象者端末と、管理サーバとを備え、上記管理サーバにおいて、上記対象者端末が存在する位置と時刻を特定することにより、対象者の行動を管理する行動管理システムであって、
上記対象者端末は、所定の行動区域に設置された行動区域コードから読み取った行動区域認証データと、上記行動区域認証データを読み取った読取時刻とを上記管理サーバに送信するとともに上記読取時刻を記録し、
上記管理サーバは、上記対象者端末から受信した上記行動区域認証データおよび読取時刻の記録と認証を行う。
【００１０】
請求項２記載の行動管理システムは、請求項１記載の構成に加え、つぎの構成を採用した。
上記対象者端末は、ＧＰＳ衛星から当該対象者端末の端末位置を受信して上記管理サーバに送信し、
上記管理サーバは、上記対象者端末から受信した上記端末位置を、当該管理サーバに保持している上記行動区域の位置と照合して認証し、当該照合の結果と時刻を記録する。
【００１１】
請求項３記載の行動管理システムは、請求項１または２記載の構成に加え、つぎの構成を採用した。
上記対象者端末は、上記行動区域コードとその周辺を含む範囲を撮影した行動区域コード画像を上記管理サーバに送信し、
上記管理サーバは、上記対象者端末から受信した上記行動区域コード画像を、当該管理サーバに保持している当該行動区域のコード画像と照合して認証し、当該照合の結果と時刻を記録する。
【００１２】
請求項４記載の行動管理システムは、請求項１〜３のいずれか一項に記載の構成に加え、つぎの構成を採用した。
上記対象者端末は、あらかじめ決められた所定の端末操作の実行をしたときの実行時刻が、上記記録された上記読取時刻から所定の時間内である場合、上記端末操作の実行により得られた実行確認データおよび上記実行時刻を上記管理サーバに送信し、
上記管理サーバは、上記対象者端末から受信した上記実行確認データおよび実行時刻の認証と記録を行う。
【００１３】
請求項５記載の行動管理システムは、請求項４記載の構成に加え、つぎの構成を採用した。
上記対象者端末は、あらかじめ決められた所定の端末操作の実行をしたときの実行時刻が、上記記録された上記読取時刻から所定の時間内でない場合、時間超過通知を上記管理サーバに送信し、
上記管理サーバは、時間超過通知の受信に応じて再認証リクエストを上記対象者端末に送信し、
上記対象者端末は、上記再認証リクエストの受信に応じて、上記行動区域コードから再度読み取った再読取り行動区域認証データと、上記再読取り行動区域認証データの再読取時刻が、上記実行時刻から所定の時間内である場合、上記再読取り行動区域認証データと再読取時刻を上記管理サーバに送信し、
上記管理サーバは、上記対象者端末から受信した上記再読取り行動区域認証データおよび再読取時刻の認証と記録を行う。
【００１４】
請求項６記載の行動管理方法は、上記目的を達成するため、つぎの構成を採用した。
行動管理の対象者が保持する対象者端末と、管理サーバとを用い、上記管理サーバにおいて、上記対象者端末が存在する位置と時刻を特定することにより、対象者の行動を管理する行動管理方法であって、
上記対象者端末は、所定の行動区域に設置された行動区域コードから読み取った行動区域認証データと、上記行動区域認証データを読み取った読取時刻とを上記管理サーバに送信するとともに上記読取時刻を記録し、
上記管理サーバは、上記対象者端末から受信した上記行動区域認証データおよび読取時刻の記録と認証を行う。
【００１５】
請求項７記載の行動管理プログラムは、上記目的を達成するため、つぎの構成を採用した。
行動管理の対象者が保持する対象者端末と、管理サーバとを用い、上記管理サーバにおいて、上記対象者端末が存在する位置と時刻を特定することにより、対象者の行動を管理する行動管理プログラムであって、
上記対象者端末による、所定の行動区域に設置された行動区域コードから読み取った行動区域認証データと、上記行動区域認証データを読み取った読取時刻とを上記管理サーバに送信するとともに上記読取時刻を記録するステップと、
上記管理サーバによる、上記対象者端末から受信した上記行動区域認証データおよび読取時刻の記録と認証を行うステップとをコンピュータ装置に実行させる。
【発明の効果】
【００１６】
請求項１記載のシステムは、上記対象者端末が、所定の行動区域に設置された行動区域コードから読み取った行動区域認証データと、上記行動区域認証データを読み取った読取時刻とを上記管理サーバに送信するとともに上記読取時刻を記録する。
上記管理サーバは、上記対象者端末から受信した上記行動区域認証データおよび読取時刻の記録と認証を行う。
これにより、上記対象者端末が、所定の行動区域に設置された行動区域コードを読み取ったこととその読取り時刻が管理サーバで記録される。これにより、上記対象者端末が所定の読取時刻に所定の行動区域に存在したことが担保される。したがって、上記対象者端末を保有する行動管理の対象者が、上記所定の読取時刻に所定の行動区域にいたことになる。これにより、管理する対象者の位置と時刻を正確に把握し、上記対象者の行動を管理することができる。
【００１７】
請求項２記載のシステムは、上記対象者端末が、ＧＰＳ衛星から当該対象者端末の端末位置を受信して上記管理サーバに送信する。上記管理サーバは、上記対象者端末から受信した上記端末位置を、当該管理サーバに保持している上記行動区域の位置と照合して認証し、当該照合の結果と時刻を記録する。
これにより、上記対象者端末の端末位置を、あらかじめ予定していた行動区域の位置と照合して認証し、ＧＰＳ衛生からの位置情報によっても確認できる。したがって、管理する対象者の位置と時刻を正確に把握し、上記対象者の行動を管理することができる。
【００１８】
請求項３記載のシステムは、上記対象者端末が、上記行動区域コードとその周辺を含む範囲を撮影した行動区域コード画像を上記管理サーバに送信する。上記管理サーバは、上記対象者端末から受信した上記行動区域コード画像を、当該管理サーバに保持している当該行動区域のコード画像と照合して認証し、当該照合の結果と時刻を記録する。
これにより、上記対象者端末の端末位置を、上記行動区域コード画像によっても確認できる。したがって、管理する対象者の位置と時刻を正確に把握し、上記対象者の行動を管理することができる。
【００１９】
請求項４記載のシステムは、上記対象者端末が、あらかじめ決められた所定の端末操作の実行をしたときの実行時刻が、上記記録された上記読取時刻から所定の時間内である場合、上記端末操作の実行により得られた実行確認データおよび上記実行時刻を上記管理サーバに送信する。これに応じ、上記管理サーバが、上記対象者端末から受信した上記実行確認データおよび実行時刻の認証と記録を行う。
これにより、対象者端末が所定の端末操作を実行したことが管理サーバにおいて確認される。上記端末操作としては、たとえば、写真撮影、動画撮影、データ入力、音声録音、外部端末からのデータ入力等をあげることができる。上記実行確認データは、上記写真撮影で得られた画像データ、上記動画撮影で得られた動画データ、上記データ入力で入力されたデータ、上記音声録音で録音された音声データ、上記外部端末から入力されたデータ等である。したがって、上記各操作が、所定の区域で所定の時間に実行されたことが確認できる。このように、管理する対象者の位置と時刻および対象者端末の操作を正確に把握し、上記対象者の行動を管理することができる。
【００２０】
請求項５記載のシステムは、上記対象者端末が、あらかじめ決められた所定の端末操作の実行をしたときの実行時刻が、上記記録された上記読取時刻から所定の時間内でない場合、時間超過通知を上記管理サーバに送信する。これに応じ、上記管理サーバが、時間超過通知の受信に応じて再認証リクエストを上記対象者端末に送信する。さらに上記再認証リクエストの受信に応じ、上記対象者端末が、上記行動区域コードから再度読み取った再読取り行動区域認証データと、上記再読取り行動区域認証データの再読取時刻が、上記実行時刻から所定の時間内である場合、上記再読取り行動区域認証データと再読取時刻を上記管理サーバに送信する。これに応じ、上記管理サーバが、上記対象者端末から受信した上記再読取り行動区域認証データおよび再読取時刻の認証と記録を行う。
これにより、上記対象者端末が、所定の行動区域に設置された行動区域コードを再度読み取ったこととその再読取時刻が管理サーバに記録される。これにより、上記対象者端末が再読取時刻に所定の行動区域に存在したことが担保される。したがって、上記対象者端末を保有する行動管理の対象者が、上記再読取時刻に所定の行動区域にいたことになる。これにより、管理する対象者の位置と時刻を正確に把握し、上記対象者の行動を管理することができる。
【００２１】
請求項６記載の方法は、上記対象者端末が、所定の行動区域に設置された行動区域コードから読み取った行動区域認証データと、上記行動区域認証データを読み取った読取時刻とを上記管理サーバに送信するとともに上記読取時刻を記録する。上記管理サーバは、上記対象者端末から受信した上記行動区域認証データおよび読取時刻の記録と認証を行う。
これにより、上記対象者端末が、所定の読取時刻に所定の行動区域に存在したことが管理サーバで記録される。したがって、上記対象者端末を保有する行動管理の対象者が、上記所定の読取時刻に所定の行動区域にいたことが担保される。これにより、管理する対象者の位置と時刻を正確に把握し、上記対象者の行動を管理することができる。
【００２２】
請求項７記載のプログラムは、上記対象者端末が、所定の行動区域に設置された行動区域コードから読み取った行動区域認証データと、上記行動区域認証データを読み取った読取時刻とを上記管理サーバに送信するとともに上記読取時刻を記録する。上記管理サーバは、上記対象者端末から受信した上記行動区域認証データおよび読取時刻の記録と認証を行う。
これにより、上記対象者端末が、所定の読取時刻に所定の行動区域に存在したことが管理サーバで記録される。したがって、上記対象者端末を保有する行動管理の対象者が、上記所定の読取時刻に所定の行動区域にいたことが担保される。これにより、管理する対象者の位置と時刻を正確に把握し、上記対象者の行動を管理することができる。
【００２３】
本発明における行動区域コードとしては、たとえばバーコード・ＱＲコード（登録商標）・ＳＱＲＣコードなどを用いることができる。ここで、コードとは、情報が表現された記号・符号の体系をいい、これらに類するものであれば、行動区域コードとして各種のものを用いることができ、上記のものに限定する趣旨ではない。
【図面の簡単な説明】
【００２４】
【図１】本発明の行動管理システムの第１実施形態を説明するシステム構成図である。
【図２】上記実施形態に用いる対象者端末を説明するシステム構成図である。
【発明を実施するための形態】
【００２５】
つぎに、本発明を実施するための形態を説明する。
【００２６】
図１および図２は、本発明の行動管理システム、方法、プログラムの一実施形態を説明するシステム構成図である。
図１は、管理サーバ１の詳細と対象者端末２を含むシステム全体を示す図である。
図２は、対象者端末２の詳細を示す図である。
【００２７】
◆概要の説明
本実施形態は、行動管理の対象者が保持する対象者端末２と、管理サーバ１とを備え、上記管理サーバ１において、上記対象者端末２が存在する位置と時刻を特定することにより、対象者の行動を管理するシステムである。このシステムにより、本発明の行動管理プログラムを実行し、本発明の行動管理方法を実施することができる。
【００２８】
本実施形態のシステムは、上記対象者端末２が、所定の行動区域に設置された行動区域コードから読み取った行動区域認証データと、上記行動区域認証データを読み取った読取時刻とを上記管理サーバ１に送信するとともに上記読取時刻を記録する。
上記管理サーバ１は、上記対象者端末２から受信した上記行動区域認証データおよび読取時刻の記録と認証を行う。
【００２９】
上記所定の行動区域は、行動管理の対象者が行動するべき区域である。上記行動区域はあらかじめ決められたものである。たとえば、上記対象者が社員である場合、その社員が業務を行うべき区域となる。たとえば、上記対象者が産業廃棄物の業者である場合、その業者が取り扱う産業廃棄物を廃棄すべき区域となる。
【００３０】
上記行動区域コードは、上記行動区域に対して１つまたは複数設置されるコードである。たとえば、上記行動区域コードを上記行動区域の入口に設置することができる。上記行動区域コードとしては、具体的にはバーコードやＱＲコード（登録商標）等の光学的に読み取ることができるコードを使用することができる。
【００３１】
上記行動区域認証データは、上記行動区域コードを読み取って得られるデータである。すなわち上記行動区域認証データは、上記行動区域コードの画像データおよび当該行動区域コードが接地された行動区域を特定する情報である。
【００３２】
上記行動区域コードの読み取りは、後述するように、たとえば対象者端末２のカメラ機構５１を利用することができる。上記カメラ機構５１によって行動区域コードの画像データを取得し、当該画像データに写し込まれたコードを上記行動区域認証データに変換する。
【００３３】
上記読取時刻は、上記対象者端末２のカメラ機構５１が上記行動区域コードの画像データを取得した時刻である。
【００３４】
上記記録と認証は、上記管理サーバ１には、あらかじめ行動区域に対応する行動区域認証データ２１が格納されており、上記対象者端末２から受信した上記行動区域認証データを照合することにより認証し、認証データ格納部２０に格納することにより記録する。
【００３５】
また、上記対象者端末２では、上記行動区域認証データを読み取った読取時刻を、格納部４２に格納することにより記録する。
【００３６】
◆基本構成の説明
管理サーバ１と対象者端末２は、インターネット５を介して相互に通信可能に接続されている。図では対象者端末２を１つしか示していないが、実際には行動管理の対象者は複数いて、複数の対象者がそれぞれ対象者端末２を保有して行動している。したがって、実際には複数の対象者端末２が、管理サーバ１と相互通信可能に接続されている。
【００３７】
上記管理サーバ１は、通信インターフェースや中央演算装置，大容量データ記憶装置などを備えたサーバシステムである。この管理サーバ１は、インターネット５を介してアクセスしてきた対象者端末２と、例えばＨＴＴＰ（ＨｙｐｅｒＴｅｘｔ  Ｔｒａｎｓｆｅｒ  Ｐｒｏｔｏｃｏｌ）等のプロトコルに従ってデータ通信を行う。
【００３８】
上記管理サーバ１は、ＨＴＭＬやＰＨＰ，ＸＭＬ等の所定の言語で構築されたウェブサイトが構築され、対象者端末２からの要求に応じて、ＨＴＭＬやＰＨＰ等のデジタル文書記述言語により記述された文書や画像を含むデータであるウェブページを対象者端末２へ向けて送信する。
【００３９】
上記管理サーバ１には、固有のネットワークアドレス（ＵＲＬ）が与えられている。上記対象者端末２の使用者である行動管理の対象者は、それぞれの対象者端末２で、上記ＵＲＬを指定することにより、管理サーバ１にアクセスすることができる。
【００４０】
上記対象者端末２は、上記ＨＴＭＬ等のデジタル文書記述言語により記述された文書や画像を含むデータについて、ブラウザにより上記ウェブサイトの閲覧をしうるようになっている。また、当該ウェブサイトにおいて、必要に応じて文書・画像等のデータや認証情報を管理サーバ１に対して送信するなど、所定の処理を実行しうるようになっている。これらの動作の詳細は後述する。
【００４１】
上記管理サーバ１は、通信インターフェースや大容量データ記憶装置などを備えたサーバシステムであり、中央演算装置がハードディスク装置等の外部記憶装置に記録されたプログラムを読み出し、そのプログラムに従って処理を実行する。
【００４２】
上記対象者端末２としては、たとえば、スマートフォン端末、タブレット端末、専用端末を用いることができる。上記対象者端末２は、インターネット５を介して管理サーバ１と接続されて相互に通信するとともに処理を実行し、後述するような種々の機能を実現する。
【００４３】
◆機能の説明
つぎに、本実施形態の機能を説明する。本実施形態の機能には、基本認証機能、位置認証機能、コード認証機能、操作認証機能がある。
【００４４】
〔基本認証機能〕
上記基本認証機能は、上述したように、上記対象者端末２において、所定の行動区域に設置された行動区域コードを読み取って行動区域認証データに変換する。この行動区域認証データと、上記行動区域認証データを読み取った読取時刻とを上記管理サーバ１に送信するとともに上記読取時刻を記録する。上記管理サーバ１では、上記対象者端末２から受信した上記行動区域認証データおよび読取時刻を認証し記録する。
【００４５】
〔位置認証機能〕
上記位置認証機能は、上記対象者端末２において、ＧＰＳ衛星から当該対象者端末２の端末位置を受信して上記管理サーバ１に送信する。上記管理サーバ１は、上記対象者端末２から受信した上記端末位置を、当該管理サーバ１に保持している上記行動区域の位置と照合して認証し、当該照合の結果と時刻を記録する。
【００４６】
〔コード認証機能〕
上記コード認証機能は、上記対象者端末２において、上記行動区域コードとその周辺を含む範囲を撮影した行動区域コード画像を上記管理サーバ１に送信する。上記管理サーバ１は、上記対象者端末２から受信した上記行動区域コード画像を、当該管理サーバ１に保持している当該行動区域のコード画像と照合して認証し、当該照合の結果と時刻を記録する。
【００４７】
上記コード画像は、上記行動区域コードとその周辺を含む範囲を撮影した画像である。上記行動区域コード画像は、例えば、つぎのようなものを用いることができる。行動区域コードとしてたとえば、壁面の上部、地上１．８ｍ程度に設置された約５ｃｍ角のＱＲコード（登録商標）を使用する。上記行動区域コード画像は、上記ＱＲコード（登録商標）とその周辺を含む約９ｃｍ角の範囲を撮影した画像、とすることができる。
【００４８】
上記管理サーバ１は、上記行動区域に対応する行動区域コード画像をあらかじめ格納しておき、上記現場端末２において撮影された現場コード画像を受信する。上記管理サーバ１では、格納しておいたコード画像と受信した行動区域コード画像の双方を画像解析し、解析画像を対比する。解析画像の対比の結果、両者の一致性を認められれば、認証する。解析画像の対比の結果、両者の一致性が認められなければ、認証を拒否する。上記対象者端末２から受信した行動区域コード画像を認証することにより、当該行動区域コードが、対応する行動区域の設置場所から移動されていないことが担保される。
【００４９】
〔操作認証機能〕
上記操作認証機能は、上記対象者端末２において、あらかじめ決められた所定の端末操作の実行をしたときの実行時刻が、上記記録された上記読取時刻から所定の時間内である場合、上記端末操作の実行により得られた実行確認データおよび上記実行時刻を上記管理サーバに送信する。これに応じ、上記管理サーバ１が、上記対象者端末２から受信した上記実行確認データおよび実行時刻の認証と記録を行う。
【００５０】
上記端末操作としては、たとえば、写真撮影、動画撮影、データ入力、音声録音、外部端末からのデータ入力等をあげることができる。
上記実行確認データは、上記写真撮影で得られた画像データ、上記動画撮影で得られた動画データ、上記データ入力で入力されたデータ、上記音声録音で録音された音声データ、上記外部端末から入力されたデータ等である。
【００５１】
また、上記対象者端末２において、あらかじめ決められた所定の端末操作の実行をしたときの実行時刻が、上記記録された上記読取時刻から所定の時間内でない場合、時間超過通知を上記管理サーバ１に送信する。これに応じ、上記管理サーバ１が、時間超過通知の受信に応じて再認証リクエストを上記対象者端末２に送信する。
上記再認証リクエストの受信に応じ、上記対象者端末２が、上記行動区域コードから再度読み取った再読取り行動区域認証データと、上記再読取り行動区域認証データの再読取時刻が、上記実行時刻から所定の時間内である場合、上記再読取り行動区域認証データと再読取時刻を管理サーバ１に送信する。これに応じ、上記管理サーバ１が、上記対象者端末２から受信した上記再読取り行動区域認証データおよび再読取時刻の認証と記録を行う。
【００５２】
上記操作認証機能において、対象者端末２において行動区域コード画像を再取得して管理サーバ１に送信し、これに応じ、上記管理サーバ１が上記再取得された行動区域コード画像を認証し記録するようにしてもよい。
【００５３】
◆システム構成の説明
以下にシステム構成について説明する。
【００５４】
◇管理サーバ１
上記管理サーバ１は、システム制御部１１とデータ格納部１８とを備えている。
【００５５】
上記管理サーバ１では、上記システム制御部１１とデータ格納部１８により上記対象者端末２と相互通信を行い、上述した基本認証機能、位置認証機能、コード認証機能および操作認証機能をはじめとする各種機能を実現する。
【００５６】
〔データ格納部１８〕
上記データ格納部１８は、認証データ格納部２０と、行動記録格納部３０とを備えている。
【００５７】
上記認証データ格納部２０は、基本認証機能、位置認証機能、コード認証機能および操作認証機能を実行するために必要な認証データを格納する。この例では、上記認証データとして、行動区域認証データ２１、位置データ２２、時間データ２３、コード画像データ２４、実行予定データ２５が格納されている。
【００５８】
上記行動区域認証データ２１は、上記基本認証機能において、上記対象者端末２から受信した上記行動区域認証データを認証する際に照合するデータである。
上記時間データ２３は、上記基本認証機能において、上記対象者端末２から受信した上記読取時刻を認証する際に照合するデータである。
上記位置データ２２は、上記位置認証機能において、上記対象者端末２から受信した上記端末位置を認証する際に照合するデータである。
上記コード画像データ２４は、上記コード認証機能において、上記対象者端末２から受信した上記行動区域コード画像を認証する際に照合するデータである。
上記実行予定データ２５は、上記操作認証機能において、上記対象者端末２から受信した上記実行確認データを認証する際に照合するデータである。
【００５９】
上記行動記録格納部３０は、上記基本認証機能において、上記対象者端末２から受信した上記行動区域認証データと読取時刻が認証されると、当該認証された行動区域認証データと読取時刻を、当該対象者の行動記録として格納する。
また、上記行動記録格納部３０は、上記位置認証機能において、上記対象者端末２から受信した上記端末位置が認証されると、当該認証された端末位置を、当該対象者の行動記録として格納する。また、当該認証の際の照合の結果と時刻を格納し記録する。
また、上記行動記録格納部３０は、上記コード認証機能において、上記対象者端末２から受信した上記行動区域コード画像が認証されると、当該認証された行動区域コード画像を、当該対象者の行動記録として格納する。また、当該認証の際の照合の結果と時刻を格納し記録する。
また、上記行動記録格納部３０は、上記操作認証機能において、上記対象者端末２から受信した上記実行確認データが認証されると、当該認証された実行確認データを、当該対象者の行動記録として格納する。
【００６０】
〔システム制御部１１〕
上記システム制御部１１は、通信制御部１０と解析認証部１５を備えている。
【００６１】
上記通信制御部１０は、インターネット５を経由した管理サーバ１と対象者端末２との相互通信を制御する。この相互通信によってデータの授受が行われ、本実施形態における各種の機能を実現する。
【００６２】
上記解析認証部１５は、上述した基本認証機能、位置認証機能、コード認証機能および操作認証機能を実現する。
【００６３】
上記基本認証機能において、上記解析認証部１５は、上記対象者端末２から受信した上記行動区域認証データおよび読取時刻を認証し記録する。すなわち、上記対象者端末２から上記行動区域認証データを受信すると、上記認証データ格納部２０に格納された行動区域認証データ２１と照合して認証する。また、上記対象者端末２から上記読取時刻を受信すると、上記認証データ格納部２０に格納された時間データ２３と照合して認証する。上記行動区域認証データと読取時刻が認証されると、当該認証された行動区域認証データと読取時刻を、当該対象者の行動記録として行動記録格納部３０に格納し記録する。
【００６４】
上記位置認証機能において、上記解析認証部１５は、上記対象者端末２から受信した上記端末位置を、当該管理サーバ１に保持している上記行動区域の位置と照合して認証する。すなわち、上記対象者端末２から上記端末位置を受信すると、上記認証データ格納部２０に格納された位置データ２２と照合して認証する。上記端末位置が認証されると、当該認証された端末位置を、当該対象者の行動記録として行動記録格納部３０に格納し記録する。また、当該認証の際の照合の結果と時刻を行動記録格納部３０に格納し記録する。
【００６５】
上記コード認証機能において、上記解析認証部１５は、上記対象者端末２から受信した上記行動区域コード画像を、当該管理サーバ１に保持している当該行動区域のコード画像と照合して認証する。すなわち、上記対象者端末２から上記行動区域コード画像を受信すると、上記認証データ格納部２０に格納されたコード画像データ２４と照合して認証する。上記行動区域コード画像が認証されると、当該認証された行動区域コード画像を、当該対象者の行動記録として行動記録格納部３０に格納し記録する。また、当該認証の際の照合の結果と時刻を格納し記録する。
【００６６】
上記操作認証機能において、上記解析認証部１５は、上記対象者端末２から受信した上記実行確認データを、当該管理サーバ１に保持している実行予定データ２５と照合して認証する。すなわち、上記対象者端末２から上記実行確認データを受信すると、上記認証データ格納部２０に格納された実行予定データ２５と照合して認証する。上記実行確認データが認証されると、当該認証された実行確認データを、当該対象者の行動記録として行動記録格納部３０に格納し記録する。
【００６７】
◇対象者端末２
上記対象者端末２として、上述したように、スマートフォン端末やタブレット端末を用いることができる。また、上記対象者端末２には、専用端末を用いることもできる。上記専用端末としては、たとえばデータ送信機能、ＧＰＳ機能、ｗｉ−ｆｉ機能、カメラ機構を内蔵し、専用アプリケーションソフトで動作するものとすることができる。
【００６８】
上記対象者端末２は、送受信部４０と、アプリケーション制御部４１と、データ格納部４２とを備えている。
また、上記対象者端末２は、静止画や動画などの画像データを撮影し記録するためのカメラ機構５１を備えている。
また、上記対象者端末２は、タッチパネルなどの入力部５４と、液晶ディスプレイ等の表示部５５を備えている。
また、上記対象者端末２は、ＧＰＳ衛星から当該対象者端末２の位置情報を受信して取得するＧＰＳデータ受信部５８と、時刻を計測する内部クロック５９を備えている。
【００６９】
上記アプリケーション制御部４１は、本発明のアプリケーション機能を実現するために当該対象者端末２にインストールされたアプリケーションプログラムの機能を実行する。上記アプリケーション制御部４１は、送受信制御部４４、カメラ制御部４５、格納制御部４９を備えている。
【００７０】
上記対象者端末２では、上記の構成により上記管理サーバ１と相互通信を行い、上述した基本認証機能、位置認証機能、コード認証機能および操作認証機能をはじめとする各種機能を実現する。
【００７１】
〔送受信部４０〕
上記送受信部４０はインターネット５を経由して管理サーバ１と通信し、データの送受信等を行う。上記送受信制御部４４が上記送受信部４０を制御する。つまり、上述した基本認証機能、位置認証機能、コード認証機能および操作認証機能を実行するときに必要なデータの送受信を行う。
【００７２】
〔格納制御部４９〕
上記格納制御部４９は、データ格納部４２に対するデータの格納を制御する。
【００７３】
〔データ格納部４２〕
上記データ格納部４２は、画像データ，時刻データ，位置データ，その他のデータを格納する。上記画像データは、たとえば行動区域コードを読み取った画像や行動区域コード画像等である、上記時刻データは、たとえば上記読取時刻である。上記位置データは、たとえばＧＰＳ衛星から受信した当該対象者端末２の位置情報である。また、上記読み取った行動区域コードから変換された行動区域認証データを格納する。また、上記操作認証機能の実行で取得する実行確認データを格納する。さらに、上記基本認証機能において、上記行動区域認証データを読み取った読取時刻を格納し記録する。
【００７４】
〔カメラ制御部４５〕
上記カメラ制御部４５は、カメラ機構５１を制御し、静止画や動画などの画像データを撮影して取得する。撮像中の映像は表示部５５に表示され、入力部５４の操作により静止画を記録したり動画を記録することができる。撮影された画像データは、上述したデータ格納部４２に格納することができる。
上記カメラ機構５１による画像の撮影は、上述したように、本発明のアプリケーションプログラムの動作としてカメラ制御部４５の制御によって撮影される。また、本発明のアプリケーションプログラムの動作としてカメラ制御部４５の制御によらず、上記カメラ機構５１によって画像を撮影することもできる。
【００７５】
上記カメラ機構５１で撮影することによる画像データの取得により、上記行動区域認証データの読み取りを行うことができ、上記行動区域コード画像を取得することができる。つまり、行動区域コードを読取るときにカメラ機構５１が動作し、行動区域コードを読み取るのと同時に、行動区域コードの周囲を含む行動区域コード画像の撮影を行う。
【００７６】
〔ＧＰＳデータ受信部５８〕
上記ＧＰＳデータ受信部５８は、ＧＰＳ衛星から当該対象者端末２の位置情報を受信する。ＧＰＳ衛星から受信した当該対象者端末２の位置情報は、上記送受信制御部４４により管理サーバ１に送信される。
【００７７】
〔内部クロック５９〕
上記内部クロック５９は、上記読取時刻は、上記対象者端末２のカメラ機構４５が上記行動区域コードの画像データを取得した時刻である読取時刻を計測する。
【００７８】
◆動作の説明
上記行動管理システムは、つぎのように動作することにより、本発明の行動管理プログラムを実行し、本発明の行動管理方法を実施する。
【００７９】
◇対象者端末２の動作
（１）アプリケーションプログラムの起動
対象者端末２においてアプリケーションプログラムを起動する。起動されたアプリケーションプログラムは、アプリケーション制御部４１で制御されて動作する。
【００８０】
（２）ログイン
対象者端末２を管理サーバ１にログインさせるログイン動作を実行する。上記ログイン動作では、まず対象者端末２を管理サーバ１に接続し、所定のログイン画面を対象者端末２の表示部５５に表示させる。このログイン画面において、所定のＩＤとパスワードなどの認証情報を入力して管理サーバ１に送信し、認証を受けてログインする。このログインにより、当該対象者端末２と管理サーバ１とのあいだで相互通信が可能となる。
【００８１】
（３）基本認証動作
基本認証動作は、あらかじめ、上記対象者端末２において取得した行動区域認証データとその読取時刻を、上記管理サーバ１に送信して認証を受ける。
上記行動区域認証データは、所定の行動区域に設置された行動区域コードの画像をカメラ機構５１によって取得し、その画像を変換することにより取得する。上記読取時刻は、カメラ機構５１によって上記画像を取得した時刻を内部クロック５９から取得する。取得した上記行動区域認証データと読取時刻を保持しておき、対象者端末２が管理サーバ１にログインした状態でそれらを送信する。上記行動区域認証データと読取時刻はデータ格納部４２に格納し記録する。
【００８２】
（４）位置認証動作
上記位置認証動作は、上記対象者端末２において取得した当該対象者端末２の端末位置とその取得時刻を、上記管理サーバ１に送信して認証を受ける。
上記端末位置は、ＧＰＳデータ受信部５８によりＧＰＳ衛星から受信することにより取得する。このとき、ＧＰＳデータ受信部５８によって上記端末位置を取得した取得時刻を内部クロック５９から取得する。上記端末位置と取得時刻を保持しておき、対象者端末２が管理サーバ１にログインした状態でそれらを送信する。上記端末位置と取得時刻はデータ格納部４２に格納してもよい。
【００８３】
（５）コード認証動作
上記コード認証動作は、上記対象者端末２において取得した行動区域コード画像とその取得時刻を、上記管理サーバ１に送信して認証を受ける。
行動区域コード画像は、カメラ機構５１によって上記行動区域コードとその周辺を含む範囲を撮影した画像である。このとき、カメラ機構５１によって行動区域コード画像を取得した取得時刻を内部クロック５９から取得する。上記行動区域コード画像と取得時刻を保持しておき、対象者端末２が管理サーバ１にログインした状態でそれらを送信する。上記行動区域コード画像と取得時刻はデータ格納部４２に格納してもよい。
【００８４】
（６）操作認証動作
上記操作認証動作は、上記対象者端末２において、あらかじめ決められた所定の端末操作の実行をしたときの実行時刻が、上記記録された上記読取時刻から所定の時間内である場合、上記端末操作の実行により得られた実行確認データおよび上記実行時刻を上記管理サーバ１に送信する。
【００８５】
また、上記対象者端末１において、あらかじめ決められた所定の端末操作の実行をしたときの実行時刻が、上記記録された上記読取時刻から所定の時間内でない場合、時間超過通知を上記管理サーバ１に送信する。
【００８６】
上記再認証リクエストの受信に応じ、上記対象者端末２が、上記行動区域コードから再度読み取った再読取り行動区域認証データと、上記再読取り行動区域認証データの再読取時刻が、上記実行時刻から所定の時間内である場合、上記再読取り行動区域認証データと再読取時刻を管理サーバ１に送信する。
【００８７】
（７）ログアウト
必要な認証動作が終了するとログアウト動作を行い、対象者端末２と管理サーバ１の通信を終了する。
【００８８】
◇管理サーバ１の動作
管理サーバ１は、対象者端末２と相互通信を行ないながら、以下の処理を行う。
（１）待機
対象者端末２からのログイン要求を待機する。
【００８９】
（２）ログイン
対象者端末２からログイン要求があったとき、ＩＤとパスワードなどの認証情報を受信し、それを認証してログインさせる。このログインにより、ログインした対象者端末２と管理サーバ１とのあいだで相互通信が可能となる。
【００９０】
（３）基本認証動作
基本認証動作は、上記対象者端末２から送信された行動区域認証データとその読取時刻を受信し、その認証と記録を行う。
上記行動区域認証データは、認証データ格納部２０に格納された行動区域認証データ２１と照合する。受信した行動区域認証データが、格納された行動区域認証データ２１と一致すれば、受信した行動区域認証データを認証する。上記読取時刻は、認証データ格納部２０に格納された時間データ２３と照合する。受信した読取時刻が、格納された時間データ２３の範囲内にあれば、受信した読取時刻を認証する。
認証した行動区域認証データと読取時刻は、上記ログインのときに受信したＩＤと関連付けて行動記録格納部３０に格納する。
【００９１】
（４）位置認証動作
上記位置認証動作は、上記対象者端末２から送信された当該対象者端末２の端末位置とその取得時刻を受信し、その認証と記録を行う。また、管理サーバ１は、当該認証の際の照合の結果と時刻を記録する。
上記端末位置は、認証データ格納部２０に格納された位置データ２２と照合する。受信した端末位置が、格納された位置データ２２の範囲内にあれば、受信した位置データを認証する。上記取得時刻は、認証データ格納部２０に格納された時間データ２３と照合する。受信した取得時刻が、格納された時間データ２３の範囲内にあれば、受信した取得時刻を認証する。
認証した端末位置と取得時刻および照合の結果と時刻は、上記ログインのときに受信したＩＤと関連付けて行動記録格納部３０に格納する。
【００９２】
（５）コード認証動作
上記コード認証動作は、上記対象者端末２から送信された行動区域コード画像とその取得時刻を受信し、その認証と記録を行う。
上記行動区域コード画像は、認証データ格納部２０に格納されたコード画像データ２４と照合する。受信した行動区域コード画像は画像解析を行い、格納されたコード画像データ２４と一致する範囲内にあれば、受信した行動区域コード画像を認証する。上記取得時刻は、認証データ格納部２０に格納された時間データ２３と照合する。受信した取得時刻が、格納された時間データ２３の範囲内にあれば、受信した取得時刻を認証する。
認証した行動区域コード画像と取得時刻は、上記ログインのときに受信したＩＤと関連付けて行動記録格納部３０に格納する。また、当該認証の際の照合の結果と時刻を格納し記録する。
【００９３】
（６）操作認証動作
上記操作認証動作は、上記対象者端末２から上記実行確認データを受信したときに、それに応じて、上記管理サーバ１が、実行時刻の認証と記録を行う。
また、上記対象者端末２から時間超過通知を受信したときに、それに応じて、上記管理サーバ１が、再認証リクエストを上記対象者端末２に送信する。
また、上記対象者端末２から上記再読取り行動区域認証データと再読取時刻を管理サーバ１を受信したときに、これに応じて、上記管理サーバ１が、上記対象者端末２から受信した上記再読取り行動区域認証データおよび再読取時刻の認証と記録を行う。
【００９４】
（７）ログアウト
必要な認証動作が終了すると対象者端末２からの要求に従ってログアウト動作を行い、管理サーバ１と対象者端末２との通信を終了する。
【００９５】
◆実施形態の作用効果
以上のように、上記実施形態では、つぎの作用効果を奏する。
【００９６】
本実施形態は、上記対象者端末が、所定の行動区域に設置された行動区域コードから読み取った行動区域認証データと、上記行動区域認証データを読み取った読取時刻とを上記管理サーバに送信するとともに上記読取時刻を記録する。
上記管理サーバは、上記対象者端末から受信した上記行動区域認証データおよび読取時刻の記録と認証を行う。
これにより、上記対象者端末が、所定の行動区域に設置された行動区域コードを読み取ったこととその読取り時刻が管理サーバで記録される。これにより、上記対象者端末が所定の読取時刻に所定の行動区域に存在したことが担保される。したがって、上記対象者端末を保有する行動管理の対象者が、上記所定の読取時刻に所定の行動区域にいたことになる。これにより、管理する対象者の位置と時刻を正確に把握し、上記対象者の行動を管理することができる。
【００９７】
本実施形態は、上記対象者端末が、ＧＰＳ衛星から当該対象者端末の端末位置を受信して上記管理サーバに送信する。上記管理サーバは、上記対象者端末から受信した上記端末位置を、当該管理サーバに保持している上記行動区域の位置と照合して認証し、当該照合の結果と時刻を記録する。
これにより、上記対象者端末の端末位置を、あらかじめ予定していた行動区域の位置と照合して認証し、ＧＰＳ衛生からの位置情報によっても確認できる。したがって、管理する対象者の位置と時刻を正確に把握し、上記対象者の行動を管理することができる。
【００９８】
本実施形態は、上記対象者端末が、上記行動区域コードとその周辺を含む範囲を撮影した行動区域コード画像を上記管理サーバに送信する。上記管理サーバは、上記対象者端末から受信した上記行動区域コード画像を、当該管理サーバに保持している当該行動区域のコード画像と照合して認証し、当該照合の結果と時刻を記録する。
これにより、上記対象者端末の端末位置を、上記行動区域コード画像によっても確認できる。したがって、管理する対象者の位置と時刻を正確に把握し、上記対象者の行動を管理することができる。
【００９９】
本実施形態は、上記対象者端末が、あらかじめ決められた所定の端末操作の実行をしたときの実行時刻が、上記記録された上記読取時刻から所定の時間内である場合、上記端末操作の実行により得られた実行確認データおよび上記実行時刻を上記管理サーバに送信する。これに応じ、上記管理サーバが、上記対象者端末から受信した上記実行確認データおよび実行時刻の認証と記録を行う。
これにより、対象者端末が所定の端末操作を実行したことが管理サーバにおいて確認される。上記端末操作としては、たとえば、写真撮影、動画撮影、データ入力、音声録音、外部端末からのデータ入力等をあげることができる。上記実行確認データは、上記写真撮影で得られた画像データ、上記動画撮影で得られた動画データ、上記データ入力で入力されたデータ、上記音声録音で録音された音声データ、上記外部端末から入力されたデータ等である。したがって、上記各操作が、所定の区域で所定の時間に実行されたことが確認できる。このように、管理する対象者の位置と時刻および対象者端末の操作を正確に把握し、上記対象者の行動を管理することができる。
【０１００】
本実施形態は、上記対象者端末が、あらかじめ決められた所定の端末操作の実行をしたときの実行時刻が、上記記録された上記読取時刻から所定の時間内でない場合、時間超過通知を上記管理サーバに送信する。これに応じ、上記管理サーバが、時間超過通知の受信に応じて再認証リクエストを上記対象者端末に送信する。さらに上記再認証リクエストの受信に応じ、上記対象者端末が、上記行動区域コードから再度読み取った再読取り行動区域認証データと、上記再読取り行動区域認証データの再読取時刻が、上記実行時刻から所定の時間内である場合、上記再読取り行動区域認証データと再読取時刻を上記管理サーバに送信する。これに応じ、上記管理サーバが、上記対象者端末から受信した上記再読取り行動区域認証データおよび再読取時刻の認証と記録を行う。
これにより、上記対象者端末が、所定の行動区域に設置された行動区域コードを再度読み取ったこととその再読取時刻が管理サーバに記録される。これにより、上記対象者端末が再読取時刻に所定の行動区域に存在したことが担保される。したがって、上記対象者端末を保有する行動管理の対象者が、上記再読取時刻に所定の行動区域にいたことになる。これにより、管理する対象者の位置と時刻を正確に把握し、上記対象者の行動を管理することができる。
【０１０１】
◆まとめと具体例
社会では、管理する側とされる側が存在する。たとえば上司と部下、産業廃棄物の排出事業者と産廃処理業者、工事発注者と受注者などがあげられる。
【０１０２】
対象者端末２の使用者（行動管理の対象者）は、行動区域内でなんらかのタスクがありその行動区域でなんらかの動作をする。予定を計画し、行動し、タスクを消化し、その計画を実行する。人的な理由に起因して、対象者がタスクを失念し、計画が不実行となる場合がある。本システムは、それを補助する機能を有するのである。
つまり、あらかじめその日のタスクを管理サーバ１に記録させ、タスクが実行されない場合にアラート（再認証リクエスト）を対象者端末２に通知し、タスク忘れを防止する。
【０１０３】
〔具体例１〕
たとえば、対象者端末２の使用者（Ｃ氏とする）が、産廃処理業者の収集運搬車の運転手であるケースを説明する。
【０１０４】
この場合、その日のＣ氏のタスクは予め決まっている。たとえば、〇月〇日午前中に排出事業者であるＡＢ産業（第１の行動区域）で産廃を積み込み、動作１（写真撮影）を実行し、その日の午後１５時までに中間処理施設であるＣＤ開発（第２の行動区域）まで運び、計量して動作２（計量の重量の入力）を行う。これらの行動予定を、実行予定データとしてあらかじめ管理サーバ１に記録しておく。
【０１０５】
使用者（Ｃ氏）が午前中に第１の行動区域であるＡＢ産業に到着し、行動区域認証コードを読込んでから設定時間内に写真撮影を済ませた場合、管理サーバ１はタスクを消化したと判定し、再認証リクエストは出さない。
【０１０６】
しかし、使用者（Ｃ氏）が第２の行動区域であるＣＤ開発で計量重量の入力を失念し、その行動区域から出た場合、管理サーバ１はタスクが残った状態で行動区域から逸脱したと判定し、再認証リクエストを対象者端末２に送信する。こうして、使用者（Ｃ氏）に対し、第２の行動区域であるＣＤ開発に戻ってタスクを完了させる行動を促す。
【０１０７】
ＧＰＳでの位置情報と行動区域との照合を１分ごとに行わせることもできる。このようにすることにより、戻ってタスクを消化できる。タスクを変更しようとする場合や、タスクが実行されていない場合などは、対象者端末２の会社の上司や所有者などにも通知し、対象者が不正な行動やさぼり行動を出来ないようにする。
【０１０８】
行動区域内でタスクの時間の経過をタイマーに検知させることもできる。このようにすることにより、行動区域内でのタスク忘れが解消される。タスクを対象者端末２の操作とすることで、行動は正確に管理される。
【０１０９】
〔具体例２〕
たとえば、働き方改革で大手広告代理店Ｂ社に勤めるＡ氏が、週に１日だけ会社以外の場所でのテレワークを許可されたケースを説明する。
【０１１０】
会社のＰＣとＡ氏所有の対象者端末２（スマートフォン）には、おなじソフトウエアがインストールされている。会社が支給したノートＰＣのモニター画面付近にＡ氏のＰＣ（メーカーや社内管理番号と）の情報が記録された行動区域認証コード（例えば１ｃｍ角）を貼り、その横に会社のロゴ（たとえば１ｃｍ角）を貼り、行動区域認証コードと周りの風景（会社のロゴ）画像をＡ氏の対象者端末２で撮影して管理サーバ１に送信する。
【０１１１】
会社はＡ氏にテレワークの日の行動の予定の提出を求める。どこで何をしたのかをＡ氏は管理サーバ１に予め登録したテレワークの行動区域であれば、それを認証する。所定の行動区域外であれば認証しない。
【０１１２】
Ａ氏は自宅で作業内容を、午前中はメールの処理で午後からは企画書２件を完成させるタスクとした。
Ａ氏は当該対象者端末２のアプリケーションプログラムを起動させ、まず管理サーバ１に個人のＩＤ／ＰＷで仮ログインした後、地図上に自宅設定範囲（半径５０ｍ）と対象者端末２位置が合致したので自宅（行動区域）にログインとなる。アプリケーションプログラムの起動時は、１分おきにＧＰＳで対象者端末２位置を照合し、対象者端末２が逸脱した場合は会社の上司の端末と本人の対象者端末２に通報し、システムを停止させ、再度ログインから始めることになる。
【０１１３】
Ａ氏は午前中に自宅で会社のノートＰＣにてメールのやり取りを行っていると、システムから対象者端末２とノートＰＣにプッシュ通知でタスク実行を指示され、ノートＰＣに設置した行動区域認証コードを対象者端末２で読取って承認後１０秒以内にプッシュ通知を含めたメール画面を対象者端末２で撮影し、管理サーバ１にアップし、上司がそのメール画面を共有し確認する。
【０１１４】
画面撮影送信までの時間をプッシュ通知到着から１分以内に行い、同様に午後にも設定した時間付近になるとプッシュ通知が対象者端末２とノートＰＣ画面に現れタスクの実行を要求されその都度、Ａ氏は企画書１件目の画面と２件目の画面をそれぞれ撮影し、送信する。
【０１１５】
送信した画像には読み取った行動区域認証コードを検索の指標としてアップした行動予定情報から紐付いている情報が付加され表示される。
例えば午前中の画像には、テレワーク作業報告として作業場所：Ａ氏自宅、作業内容：メール処理、作業時間：１０：５０が付加され表示され、上司も視認性が良い。
終業時間の１７：００の３０分前になっても企画書２件目の画像がアップされてこない場合、管理サーバ１はプッシュ通知にてタスク忘れを防止する。
【０１１６】
システムが勝手にノートＰＣに付属しているカメラで撮影するわけでもないし、撮影者本人の行動の記録なので、うそや誤魔化しが効かない。対象者端末２を自宅に置いたまま外出した場合などはプッシュ通知に対応できない。また違うノートＰＣを並べての画面を写真撮影するなどの対策にプッシュ通知を含めて撮影させる。居眠り等がないようにプッシュ通知到着より１分以内に画像送信とした。
会社に出社した際にノートＰＣのログと合わせるなど他の方法と組み合わせることもできる。
【０１１７】
行動区域を１日中会社に設定し、予定を企画書作成１件、会議室でミーティング１５時から２時間などと設定した場合に本当に会議室にいたのかを行動区域認証コードを会議室のテーブルに設置するなどし、読み取ってから所定時間内（１０秒以内）会議室内のメンバーを撮影する、あるいは録音するなどすれば、会議室で予定時間内に会議をしていたと、管理サーバ１に記録される。
【０１１８】
企画書作成は上司が操作してある特定の時間（今すぐとかに）にプッシュ通知をして報告を要求することが出来る。Ａ氏のデスクかフリーデスクスタイルでも出勤して着席した席に行動区域認証コードを貼っておく、各会議室や応接室に行動区域認証コードを細かく設置し、読込みを習慣化していけば、高層ビルの大きなフロアでも、いつ、どこで、何をしたのかがわかり、ビルから出ていないことがＧＰＳでわかる。会社の入口に出勤退勤用の行動区域認証コードを設置すれば勤怠管理も兼用できる
タスクを残して駅などに移動した場合はＧＰＳでエリア外に出たことを検知し、再認証リクエストを対象者端末２に送信できる。
【０１１９】
◆変形例
以上は本発明の特に好ましい実施形態について説明したが、本発明は図示した実施形態に限定する趣旨ではなく、各種の態様に変形して実施することができ、本発明は各種の変形例を包含する趣旨である。
【符号の説明】
【０１２０】
１：管理サーバ
２：対象者端末
５：インターネット
１０：通信制御部
１１：システム制御部
１５：解析認証部
１８：データ格納部
２０：認証データ格納部
２１：行動区域認証データ
２２：位置データ
２３：時間データ
２４：コード画像データ
２５：実行予定データ
３０：行動記録格納部
４０：送受信部
４１：アプリケーション制御部
４２：データ格納部
４４：送受信制御部
４５：カメラ制御部
４９：格納制御部
５１：カメラ機構
５４：入力部
５５：表示部
５８：ＧＰＳデータ受信部
５９：内部クロック
【図１】
2020027377.tif 000003
【図２】
2020027377.tif 000004